(57)【要約】【課題】  設置場所（設置される高さ位置）に応じて、収納空間の開口方向を手軽に変えて使用することができるクーラーボックスを提供することを目的とする。  また、外部から収納物を簡単に識別して取出し易いクーラーボックスを提供することを他の目的とする。【解決手段】  ５面の壁板部10から成り直方体形状の収納空間６を形成する容器体３と容器体３の開口端縁19の一辺５に開閉自在に枢支された蓋体４とを備えるクーラーボックス本体１を、備える。かつ、クーラーボックス本体１に上方開口状態で出し入れされる透明な直方体形状内ケース２を、備える。容器体３の壁板部10のうち、蓋体４が枢支される第１壁板部11と、対向する第２壁板部12とが正方形状に形成される。内ケース２は、対向する一対の第１・第２側壁部21，22が正方形状に形成される。【選択図】  図１
0003108702.tif 000002
【実用新案登録請求の範囲】
【請求項１】
５面の壁板部（10）から成り略直方体形状の収納空間（６）を形成する容器体（３）と該容器体（３）の開口端縁（19）の一辺（５）に開閉自在に枢支された蓋体（４）とを備えるクーラーボックス本体（１）と、該クーラーボックス本体（１）の上記収納空間（６）に上方開口状態で出し入れされる透明乃至半透明の略直方体形状内ケース（２）と、を備え、
上記容器体（３）の上記壁板部（10）のうち、上記蓋体（４）が枢支される上記一辺（５）を有する第１壁板部（11）、及び、該第１壁板部（11）に対向する第２壁板部（12）が、略正方形状に形成され、
かつ、上記内ケース（２）のうち、対向する一対の第１・第２側壁部（21)(22）が略正方形状に形成され、
上記内ケース（２）は、該一対の第１・第２側壁部（21)(22）が上記クーラーボックス本体（１）の第１・第２壁板部（11)(12）の内面（11ａ)(12ａ）に近接するようにして、上記クーラーボックス本体（１）の上記収納空間（６）に出し入れされることを特徴とするクーラーボックス。
【請求項２】
５面の壁板部（10）から成り略直方体形状の収納空間（６）を形成する容器体（３）と該容器体（３）の開口端縁（19）の一辺（５）に開閉自在に枢支された蓋体（４）とを備えるクーラーボックス本体（１）と、該クーラーボックス本体（１）の上記収納空間（６）に上方開口状として出し入れ自在な透明乃至半透明の略直方体形状内ケース（２）と、を備え、
上記容器体（３）の上記壁板部（10）のうち、上記蓋体（４）が枢支される上記一辺（５）を有する第１壁板部（11）、及び、該第１壁板部（11）に対向する第２壁板部（12）が、略正方形状に形成され、
かつ、上記内ケース（２）のうち、対向する一対の第１・第２側壁部（21)(22）が略正方形状に形成され、
さらに、上記容器体（３）の壁板部（10）のうち、上記第１・第２壁板部（11)(12）を連結状として配設され対向する第３・第４壁板部（13)(14）の少なくとも一方の外表面（10ａ）、及び、上記蓋体（４）の外表面（４ａ）に、夫々、収納凹部（８）が形成され、かつ、各収納凹部（８）に収納乃至起立状態切換え自在に保持される取手部材（７）を、有し、
上記内ケース（２）は、該一対の第１・第２側壁部（21)(22）が上記クーラーボックス本体（１）の第１・第２壁板部（11)(12）の内面（11ａ)(12ａ）に近接するようにして、上記クーラーボックス本体（１）の上記収納空間（６）に出し入れされることを特徴とするクーラーボックス。
【請求項３】
５面の壁板部（10）から成り略直方体形状の収納空間（６）を形成する容器体（３）と該容器体（３）の開口端縁（19）の一辺（５）に開閉自在に枢支された蓋体（４）とを備えるクーラーボックス本体（１）と、該クーラーボックス本体（１）の上記収納空間（６）に上方開口状態で出し入れされる透明乃至半透明の略直方体形状内ケース（２）と、を備え、
上記容器体（３）の上記壁板部（10）のうち、上記蓋体（４）が枢支される上記一辺（５）の両端部（５ａ)(５ａ) に直交状に配設された一対の第１・第２壁板部（11)(12）が、略正方形状に形成され、
かつ、上記内ケース（２）のうち、対向する一対の第１・第２側壁部（21)(22）が略正方形状に形成され、
さらに、上記蓋体（４）は、その内面（４ｂ）に、上記内ケース（２）が載置されて円滑に出し入れ可能とするレール突条部（16）が、突設され、
上記内ケース（２）は、該一対の第１・第２側壁部（21)(22）が上記クーラーボックス本体（１）の第１・第２壁板部（11)(12）の内面（11ａ)(12ａ）に近接するようにして、上記クーラーボックス本体（１）の上記収納空間（６）に出し入れされることを特徴とするクーラーボックス。
【考案の詳細な説明】
【技術分野】
【０００１】
本考案は、クーラーボックスに関するものである。
【背景技術】
【０００２】
従来のクーラーボックスは、上方開口状の箱型容器体と、その容器体の上部開口端縁に開閉自在に枢支された蓋体と、から成り、内部に直方体乃至立方体形状の収納空間が形成されるものが知られている。
【考案の開示】
【考案が解決しようとする課題】
【０００３】
この従来のクーラーボックスは、常に容器体を上方開口状態にして使用されるので、テーブルの上等の高い場所に置いた場合、内部に何が入っているのか、側方からは判りにくく、しかも、収納物を取り出しにくい。また、次々と物を収納した場合に、下方位置に何が収納されているか見えなくなる。
そこで、本考案は、設置場所（設置される高さ位置）に応じて、収納空間の開口方向を手軽に変えて使用することができるクーラーボックスを提供することを目的とする。
また、外部から収納物を簡単に識別して取出し易いクーラーボックスを提供することを他の目的とする。
【課題を解決するための手段】
【０００４】
上記の目的を達成するために、本考案に係るクーラーボックスは、５面の壁板部から成り略直方体形状の収納空間を形成する容器体と該容器体の開口端縁の一辺に開閉自在に枢支された蓋体とを備えるクーラーボックス本体と、該クーラーボックス本体の上記収納空間に上方開口状態で出し入れされる透明乃至半透明の略直方体形状内ケースと、を備え；上記容器体の上記壁板部のうち、上記蓋体が枢支される上記一辺を有する第１壁板部、及び、該第１壁板部に対向する第２壁板部が、略正方形状に形成され；かつ、上記内ケースのうち、対向する一対の第１・第２側壁部が略正方形状に形成され；上記内ケースは、該一対の第１・第２側壁部が上記クーラーボックス本体の第１・第２壁板部の内面に近接するようにして、上記クーラーボックス本体の上記収納空間に出し入れされるものである。
【０００５】
また、クーラーボックスは、５面の壁板部から成り略直方体形状の収納空間を形成する容器体と該容器体の開口端縁の一辺に開閉自在に枢支された蓋体とを備えるクーラーボックス本体と、該クーラーボックス本体の上記収納空間に上方開口状として出し入れ自在な透明乃至半透明の略直方体形状内ケースと、を備え；上記容器体の上記壁板部のうち、上記蓋体が枢支される上記一辺を有する第１壁板部、及び、該第１壁板部に対向する第２壁板部が、略正方形状に形成され；かつ、上記内ケースのうち、対向する一対の第１・第２側壁部が略正方形状に形成され；さらに、上記容器体の壁板部のうち、上記第１・第２壁板部を連結状として配設され対向する第３・第４壁板部の少なくとも一方の外表面、及び、上記蓋体の外表面に、夫々、収納凹部が形成され、かつ、各収納凹部に収納乃至起立状態切換え自在に保持される取手部材を、有し；上記内ケースは、該一対の第１・第２側壁部が上記クーラーボックス本体の第１・第２壁板部の内面に近接するようにして、上記クーラーボックス本体の上記収納空間に出し入れされるものである。
【０００６】
また、クーラーボックスは、５面の壁板部から成り略直方体形状の収納空間を形成する容器体と該容器体の開口端縁の一辺に開閉自在に枢支された蓋体とを備えるクーラーボックス本体と、該クーラーボックス本体の上記収納空間に上方開口状態で出し入れされる透明乃至半透明の略直方体形状内ケースと、を備え；上記容器体の上記壁板部のうち、上記蓋体が枢支される上記一辺の両端部に直交状に配設された一対の第１・第２壁板部が、略正方形状に形成され；かつ、上記内ケースのうち、対向する一対の第１・第２側壁部が略正方形状に形成され；さらに、上記蓋体は、その内面に、上記内ケースが載置されて円滑に出し入れ可能とするレール突条部が、突設され；上記内ケースは、該一対の第１・第２側壁部が上記クーラーボックス本体の第１・第２壁板部の内面に近接するようにして、上記クーラーボックス本体の上記収納空間に出し入れされるものである。
【考案の効果】
【０００７】
本考案は、次のような著大な効果を奏する。
クーラーボックスは、略直方体形状の収納空間を有するクーラーボックス本体と、クーラーボックス本体の収納空間に上方開口状態で出し入れされる透明乃至半透明の略直方体形状内ケースと、を備え、容器体の壁板部のうち、蓋体が枢支される第１壁板部、及び、第１壁板部に対向する第２壁板部が、略正方形状に形成され、かつ、内ケースのうち、対向する一対の第１・第２側壁部が略正方形状に形成されるものなので、クーラーボックス本体を上方向開口状にすれば、内ケースを上下方向に出し入れすることができ、他方、テーブルの上等の高い位置で使用する場合には、クーラーボックス本体を横方向開口状として、内ケースを、収納空間に、横方向に出し入れして使用することができる。
このように、設置場所（高さ）等に応じて、クーラーボックス本体の開口方向を、上下方向、あるいは、横方向に変えて使用することができ、かつ、どちらの場合でも、内ケースを常に上方開口状態で、出し入れして使用できる。
しかも、クーラーボックス本体を横方向開口状として使用する場合、内ケースが透明乃至半透明なので、内ケースの内部のものを、横方向からでも判別できる。さらに、クーラーボックス本体の上に物体が置かれても、蓋体は、横開き状に開閉されるので、使用に対し支障がない。また、クーラーボックス本体を上方開口状として使用している場合、内ケースを取出せば、（積上げられた）下方の収納物を外部から識別できる。
さらに、飲食物や氷等は、内ケース内に出し入れされるので、使用後は、内ケースを取り出して洗えば済み、洗浄の手間が少ない。
【考案を実施するための最良の形態】
【０００８】
以下、実施の形態を示す図面に基づき、本考案を詳説する。
図１，図２，図３及び図４に示すクーラーボックスは、クーラーボックス本体１と、クーラーボックス本体１の収納空間６に上方開口状態で出し入れされる透明乃至半透明の略直方体形状内ケース２と、を備える。
【０００９】
クーラーボックス本体１は、５面の壁板部10…から成り略直方体形状の収納空間６を形成する容器体３と、容器体３の開口端縁19の一辺５に開閉自在に枢支された蓋体４と、から成る。
さらに具体的には、容器体３を構成する５面の壁板部10…のうち、（蓋体４が枢支される）一辺５を有する第１壁板部11と、この第１壁板部11に対向して配設される第２壁板部12とが、略正方形状に形成される。
かつ、壁板部10…のうち、第１・第２壁板部11，12を連結すると共に互いに対向して配設される第３・第４壁板部13，14は、長方形状に形成される。ここで、クーラーボックス本体１を横方向開口状で使用する場合には、第４壁板部14を底面として使用する。
第１・第２壁板部11，12の内面11ａ，12ａは、正方形状に形成され、この内面11ａ，12ａの各辺の長さをＤ6 とする。一方、第３・第４壁板部13，14の内面のうち、開口端縁19に対応する辺の長さをＬ6 とすると、図例では、Ｄ6 ＜Ｌ6 の関係を有する。
あるいは、図示省略するが、Ｌ6 ＜Ｄ6 の関係に設定しても良い。
【００１０】
蓋体４は、第１壁板部11の一辺５に、（図示省略の）蝶番等のヒンジ部材をもって、開閉自在に枢支される。
また、蓋体４の（枢支される辺と対向する）一辺に、蓋体４を容器体３に閉じて固定するためのフック部材34が、付設されると共に、容器体３の第２壁板部12の外表面に、フック部材34に引っ掛けた後で回転して固定する止め部材33が、付設される。
また、容器体３の第２壁板部12は、その端縁に、細長状のプラスチックマグネット30が付設され、かつ、蓋体４は、その内面４ｂに、容器体３のプラスチックマグネット30に対応して磁力で密着するためのプラスチックマグネット31が付設される。
第１・第２壁板部11，12、第３・第４壁板部13，14、及び、底壁板部15は、全て、２枚のポリプロピレン（ＰＰ）やポリエチレン（ＰＥ）等の薄板材の間に、ウレタン発泡剤あるいは発泡スチロールが挟まれ、略均一な厚さに形成される。また、蓋体４も、同様に形成される。
【００１１】
次に、内ケース２は、対向する一対の第１・第２側壁部21，22と、第１・第２側壁部21，22を連結する一対の第３・第４側壁部23，24と、底壁部25と、から成る。
このうち、第１・第２側壁部21，22は、略正方形状に形成され、各辺の長さＤ2 は、容器体３の第１・第２壁板部11，12の内面11ａ，12ａの各辺の長さＤ6 よりも、僅か（１乃至５mm程度）に小さく設定される。また、第３・第４側壁部23，24は、その幅方向の長さＬ2 が、容器体３の第３・第４壁板部13，14の内面の上記長さＬ6 よりも僅か（１乃至５mm程度）に小さくなるように、設定される。
内ケース２の第１・第２側壁部21，22は、その上部に、把持するための把持孔部27，27が形成され、また、第３・第４側壁部23，24は、少なくとも一方の上端縁に、引出し用切欠部26が、形成される。
内ケース２は、透明乃至半透明のポリプロピレン等から成る。
【００１２】
また、蓋体４の外表面４ａに、収納凹部８が形成され、かつ、収納凹部８に、クーラーボックスを運搬するための取手部材７が、収納乃至起立状態切換え自在に保持される。
具体例として、収納凹部８は、略矩形状に形成され、その対向する内側面８ａ，８ａに、突部９，９が突設される。取手部材７は、略門型に形成され、その両端部17，17に、収納凹部８の突部９，９が嵌合される孔部17ａ，17ａが、形成される（図３参照）。
また、容器体３の第３壁板部13の外表面10ａに、同様の収納凹部８が形成され、この収納凹部８に、取手部材７が取り付けられる。
【００１３】
次に、図５及び図６は、クーラーボックスの他の実施の形態を示し、図１，図２及び図４に示すクーラーボックスとの相違点は、容器体３の壁板部10…のうち、蓋体４が枢支される一辺５の両端部５ａ，５ａに直交状に配設された一対の第１・第２壁板部11，12が、略正方形状に形成される点である。即ち、蓋体４は、略長方形状の第４壁板部14の一辺５に、枢支される。かつ、（既述の）プラスチックマグネット30及び止め部材33は、容器体３の第３壁板部13に、付設される。
さらに、図５及び図６のクーラーボックスは、蓋体４の内面４ｂに、内ケース２が載置されて円滑に出し入れ可能とするレール突条部16が、突設される。
レール突条部16は、低摩擦材から成り、開口端縁19の一辺５に直交する方向に配設されると共に、２本並設されるのが好ましい。
容器体３，蓋体４，内ケース２の形状及び材質は、既述の相違点以外は、図１，図２, 図３及び図４のものと、同様である。
【００１４】
クーラーボックスは、図１〜図４のものも、図５，図６のものも、外径が略直方体（キュービック型）でシンプルな形状であり、デザイン性にも優れていて、会社のデスク、部屋内、車内等に置けば装飾品となる。
【００１５】
次に、クーラーボックスの使用方法について説明する。
先ず、図１〜図４のクーラーボックスについては、クーラーボックス本体１を、上方開口状態で使用する場合（図１参照）は、蓋体４は縦開き状になり、内ケース２を、クーラーボックス本体１の収納空間６に、上下方向に取出して、収納物を認識する。
持ち運ぶ際には、蓋体４を閉じて、止め部材33とフック部材34で固定し（図２参照）、蓋体４に付設された取手部材７を把持して運ぶ。
また、使用中には、プラスチックマグネット30，31の磁力によって、蓋体４は容器体３に密着状に閉じられる。よって、運搬する場合以外（使用中）には、止め部材33とフック部材34の固定・解除をする必要がない。
他方、クーラーボックス本体１を、第４壁板部14を底にして使用する場合は（図４参照）、蓋体４は、横開き状になり、内ケース２は、クーラーボックス本体１の収納空間６に、横方向に出し入れされる。持ち運ぶ際には、蓋体４を閉じて止め部材33とフック部材34で固定し、第３壁板部13に付設された取手部材７を把持する。
クーラーボックス本体１を、上方開口状態とする場合（図１，図２参照）と、横方向に開口状態とする場合（図４参照）のいずれの場合も、内ケース２は、上方開口状態で出し入れ及び収納されると共に、常に、第１・第２側壁部21，22がクーラーボックス本体１の第１・第２壁板部11，12の内面11ａ，12ａに近接するようにして、収納される。
使用後には、内ケース２を取り出して、洗浄する。
【００１６】
次に、図５，図６のクーラーボックスの使用方法について説明する。
クーラーボックス本体１を、上方開口状態にして使用する場合（図５参照）は、蓋体４は縦開き状になる。そして、内ケース２を、上下方向に取出して、収納物を認識する。持ち運ぶ際には、蓋体４を閉じた後で、蓋体４に付設された取手部材７を把持して運ぶ。
他方、クーラーボックス本体１を、第４壁板部14を底面として使用する場合は、蓋体４を開いて、設置面上に載置する（図６参照）。内ケース２は、クーラーボックス本体１の収納空間６に、横方向に出し入れされ、この出し入れは、内ケース２の底壁部25が蓋体４の内面４ｂのレール突条部16，16上をスライドするので、滑らかである。また、持ち運ぶ場合以外（使用中）は、プラスチックマグネット30，31の磁力によって、蓋体４を容器体３に密着状に閉じることができる。持ち運ぶ際は、蓋体４を閉じて止め部材33とフック部材34で固定し、第３壁板部13に付設された取手部材７を把持する。
【００１７】
以上のように、本考案に係るクーラーボックスは、５面の壁板部10から成り略直方体形状の収納空間６を形成する容器体３と容器体３の開口端縁19の一辺５に開閉自在に枢支された蓋体４とを備えるクーラーボックス本体１と、クーラーボックス本体１の収納空間６に上方開口状態で出し入れされる透明乃至半透明の略直方体形状内ケース２と、を備え、容器体３の壁板部10のうち、蓋体４が枢支される一辺５を有する第１壁板部11、及び、第１壁板部11に対向する第２壁板部12が、略正方形状に形成され、かつ、内ケース２のうち、対向する一対の第１・第２側壁部21，22が略正方形状に形成され、内ケース２は、一対の第１・第２側壁部21，22がクーラーボックス本体１の第１・第２壁板部11，12の内面11ａ，12ａに近接するようにして、クーラーボックス本体１の収納空間６に出し入れされるので、クーラーボックス本体１を上方向開口状にすれば、内ケース２を上下方向に取出して、収納物を認識したり出し入れすることができ、他方、テーブルの上等の高い位置で使用する場合には、クーラーボックス本体１を横方向開口状として、内ケース２を、収納空間６に、横方向に出し入れして使用することができる。
このように、設置場所（高さ）等に応じて、クーラーボックス本体１の開口方向を、上下方向、あるいは、横方向に変えて使用することができ、かつ、どちらの場合でも、内ケース２を常に上方開口状態で、出し入れして使用できる。
そして、クーラーボックス本体１を横方向開口状として使用する場合、内ケース２が透明乃至半透明なので、内ケース２の内部のものを、横方向からでも判別できる。さらに、クーラーボックス本体１の上に物体が置かれても、蓋体４は、横開き状に開閉されるので、使用に対し支障がない。
さらに、飲食物や氷等は、内ケース２内に出し入れされるので、使用後は、内ケース２を取り出して洗えば済み、洗浄の手間が少ない。
【００１８】
また、クーラーボックスは、５面の壁板部10から成り略直方体形状の収納空間６を形成する容器体３と容器体３の開口端縁19の一辺５に開閉自在に枢支された蓋体４とを備えるクーラーボックス本体１と、クーラーボックス本体１の収納空間６に上方開口状として出し入れ自在な透明乃至半透明の略直方体形状内ケース２と、を備え、容器体３の壁板部10のうち、蓋体４が枢支される一辺５を有する第１壁板部11、及び、第１壁板部11に対向する第２壁板部12が、略正方形状に形成され、かつ、内ケース２のうち、対向する一対の第１・第２側壁部21，22が略正方形状に形成され、さらに、容器体３の壁板部10のうち、第１・第２壁板部11，12を連結状として配設され対向する第３・第４壁板部13，14の少なくとも一方の外表面10ａ、及び、蓋体４の外表面４ａに、夫々、収納凹部８が形成され、かつ、各収納凹部８に収納乃至起立状態切換え自在に保持される取手部材７を、有し、内ケース２は、一対の第１・第２側壁部21，22がクーラーボックス本体１の第１・第２壁板部11，12の内面11ａ，12ａに近接するようにして、クーラーボックス本体１の収納空間６に出し入れされるので、クーラーボックス本体１を上方向開口状にすれば、内ケース２を上下方向に取出して、収納物を認識したり出し入れすることができ、他方、テーブルの上等の高い位置で使用する場合には、クーラーボックス本体１を横方向開口状として、内ケース２を、収納空間６に、横方向に出し入れして使用することができる。
このように、設置場所（高さ）等に応じて、クーラーボックス本体１の開口方向を、上下方向、あるいは、横方向に変えて使用することができ、かつ、どちらの場合でも、内ケース２を常に上方開口状態で、出し入れして使用できる。
そして、クーラーボックス本体１を横方向開口状として使用する場合、内ケース２が透明乃至半透明なので、内ケース２の内部のものを、横方向からでも判別できる。さらに、クーラーボックス本体１の上に物体が置かれても、蓋体４は、横開き状に開閉されるので、使用に対し支障がない。
さらに、飲食物や氷等は、内ケース２内に出し入れされるので、使用後は、内ケース２を取り出して洗えば済み、洗浄の手間が少ない。
しかも、容器体３の第３壁板部13の外表面10ａ、及び、蓋体４の外表面４ａに、夫々、収納凹部８が形成され、かつ、各収納凹部８に取手部材７が付設されるので、クーラーボックス本体１を、上方開口状にして使用する場合、及び、横方向開口状にして使用する場合のどちらの場合にも、夫々、蓋体４、第３壁板部13に付設された取手部材７を把持して、クーラーボックスを持ち運ぶことができる。
【００１９】
また、クーラーボックスは、５面の壁板部10から成り略直方体形状の収納空間６を形成する容器体３と容器体３の開口端縁19の一辺５に開閉自在に枢支された蓋体４とを備えるクーラーボックス本体１と、クーラーボックス本体１の収納空間６に上方開口状態で出し入れされる透明乃至半透明の略直方体形状内ケース２と、を備え、容器体３の壁板部10のうち、蓋体４が枢支される一辺５の両端部５ａ，５ａに直交状に配設された一対の第１・第２壁板部11，12が、略正方形状に形成され、かつ、内ケース２のうち、対向する一対の第１・第２側壁部21，22が略正方形状に形成され、さらに、蓋体４は、その内面４ｂに、内ケース２が載置されて円滑に出し入れ可能とするレール突条部16が、突設され、内ケース２は、一対の第１・第２側壁部21，22がクーラーボックス本体１の第１・第２壁板部11，12の内面11ａ，12ａに近接するようにして、クーラーボックス本体１の収納空間６に出し入れされるので、クーラーボックス本体１を上方向開口状にすれば、内ケース２を上下方向に取出して、収納物を認識したり出し入れすることができ、他方、テーブルの上等の高い位置で使用する場合には、クーラーボックス本体１を横方向開口状として、内ケース２を、収納空間６に、横方向に出し入れして使用することができる。
このように、設置場所（高さ）等に応じて、クーラーボックス本体１の開口方向を、上下方向、あるいは、横方向に変えて使用することができ、かつ、どちらの場合でも、内ケース２を常に上方開口状態で、出し入れして使用できる。
そして、クーラーボックス本体１を横方向開口状として使用する場合、内ケース２が透明乃至半透明なので、内ケース２の内部のものを、横方向からでも判別できる。さらに、クーラーボックス本体１の上に物体が置かれても、蓋体４は、横開き状に開閉されるので、使用に対し支障がない。
さらに、飲食物や氷等は、内ケース２内に出し入れされるので、使用後は、内ケース２を取り出して洗えば済み、洗浄の手間が少ない。
また、クーラーボックス本体１を横方向開口状にして使用する場合に、開けた蓋体４が載置面上に載置され、内ケース２を、蓋体４のレール突条部16上を滑らせることができるので、出し入れが円滑になる。
【図面の簡単な説明】
【００２０】
【図１】本考案に係るクーラーボックスの実施の一形態を示す説明用斜視図である。
【図２】斜視図である。
【図３】要部拡大一部断面図である。
【図４】説明用斜視図である。
【図５】本考案に係るクーラーボックスの他の実施の形態を示す説明用斜視図である。
【図６】説明用斜視図である。
【符号の説明】
【００２１】
１  クーラーボックス本体
２  内ケース
３  容器体
４  蓋体
４ａ  外表面
４ｂ  内面
５  一辺
５ａ  端部
６  収納空間
７  取手部材
８  収納凹部
10  壁板部
10ａ  外表面
11  第１壁板部
11ａ  内面
12  第２壁板部
12ａ  内面
13  第３壁板部
14  第４壁板部
16  レール突条部
19  開口端縁
21  第１側壁部
22  第２側壁部
【図１】
0003108702.tif 000003
【図２】
0003108702.tif 000004
【図３】
0003108702.tif 000005
【図４】
0003108702.tif 000006
【図５】
0003108702.tif 000007
【図６】
0003108702.tif 000008